(57)【要約】【課題】表示画像を見やすくすることができるプロジェクタを提供する。【解決手段】外部インターフェース（１９Ａ）を介して取得された第１画像データの第１画像を表示可能な第１の投影モード、または記憶手段（１９Ｂ，２０）に記憶された第２画像データの第２画像を表示可能な第２の投影モードを投影可能なプロジェクタ（１）において、前記第１の投影モードにおいては、画像表示部（２２）に表示させる前記第１画像を１８０度回転させ、前記第２の投影モードにおいては、前記第２画像の縦横表示の切り替えを画像処理部（１６）に指示可能であるとともに、画像表示部（２２）に表示させる前記第２画像を１８０度回転させる制御信号を出力する制御部（１０）を備えている。【選択図】図１
2012242487.tif 000002
【特許請求の範囲】
【請求項１】
外部インターフェースを介して取得された第１画像データの第１画像を表示可能な第１の投影モード、または記憶手段に記憶された第２画像データの第２画像を表示可能な第２の投影モードを投影可能なプロジェクタにおいて、
前記第１の投影モードにおいては、画像表示部に表示させる前記第１画像を１８０度回転させ、前記第２の投影モードにおいては、前記第２画像の縦横表示の切り替えを画像処理部に指示可能であるとともに、前記画像表示部に表示させる前記第２画像を１８０度回転させる制御信号を出力する制御部を備えていることを特徴とするプロジェクタ。
【請求項２】
前記制御部は画像表示ドライバの機能を使用して前記第１、第２画像を回転させることを特徴とする請求項１記載のプロジェクタ。
【請求項３】
前記制御部は、前記第２画像の縦横表示の切り替えを指示する前に、前記第２画像データに付加された縦位置情報に基づいて前記第２画像の表示方向を判定することを特徴とする請求項１又は２記載のプロジェクタ。
【請求項４】
前記第２画像データが前記縦位置情報の付加されない動画データであるとき、前記制御部は、前記画像処理部に対して前記第２画像の縦横表示の切り替えを指示しないことを特徴とする請求項１又は２記載のプロジェクタ。
【請求項５】
前記第１、第２画像の回転を前記制御部に指示する操作部材を備えていることを特徴とする請求項１〜４のいずれか１項記載のプロジェクタ。
【請求項６】
前記制御部は、前記制御信号の上下，左右情報及び縦位置情報を状態フラグの値として記憶し、前記操作部材が操作されたときに記憶されている前記状態フラグの値に基づいて、前記画像表示部へ送信する前記状態フラグの値を書き換えることを特徴とする請求項１〜５のいずれか１項記載のプロジェクタ。
【発明の詳細な説明】
【技術分野】
【０００１】
本発明はプロジェクタに関する。
【背景技術】
【０００２】
従来、投射装置が設置された机上に斜め方向から画像を投射する投影装置が存在する（下記特許公報参照）。この投影装置によれば、観察者にとって最適な投影像を机上の自由な位置に表示することができる。
【先行技術文献】
【特許文献】
【０００３】
【特許文献１】特開２００３−２８００９１号公報
【発明の概要】
【発明が解決しようとする課題】
【０００４】
しかし、デジタルカメラ等によって縦位置（横長のカメラをレンズの光軸回りに９０°回転させた位置）で撮影した画像をプロジェクタでスクリーンに表示する場合、横長の表示エリアに縦長の画像を投影することになるため、表示エリアに表示される画像は縮小され、見づらいものとなる。
【０００５】
本発明はこのような事情に鑑みてなされたもので、その課題は表示画像を見やすくすることができるプロジェクタを提供することである。
【課題を解決するための手段】
【０００６】
上記課題を解決するため請求項１記載の発明は、外部インターフェースを介して取得された第１画像データの第１画像を表示可能な第１の投影モード、または記憶手段に記憶された第２画像データの第２画像を表示可能な第２の投影モードを投影可能なプロジェクタにおいて、前記第１の投影モードにおいては、画像表示部に表示させる前記第１画像を１８０度回転させ、前記第２の投影モードにおいては、前記第２画像の縦横表示の切り替えを画像処理部に指示可能であるとともに、前記画像表示部に表示させる前記第２画像を１８０度回転させる制御信号を出力する制御部を備えていることを特徴とする。
【０００７】
請求項２に記載の発明は、請求項１記載のプロジェクタにおいて、前記制御部は画像表示ドライバの機能を使用して前記第１、第２画像を回転させることを特徴とする。
【０００８】
請求項３に記載の発明は、請求項１又は２記載のプロジェクタにおいて、前記制御部は、前記第２画像の縦横表示の切り替えを指示する前に、前記第２画像データに付加された縦位置情報に基づいて前記第２画像の表示方向を判定することを特徴とする。
【０００９】
請求項４に記載の発明は、請求項１又は２記載のプロジェクタにおいて、前記第２画像データが前記縦位置情報の付加されない動画データであるとき、前記制御部は、前記画像処理部に対して前記第２画像の縦横表示の切り替えを指示しないことを特徴とする。
【００１０】
請求項５に記載の発明は、請求項１〜４のいずれか１項記載のプロジェクタにおいて、前記第１、第２画像の回転を前記制御部に指示する操作部材を備えていることを特徴とする。
【００１１】
請求項６に記載の発明は、請求項１〜５のいずれか１項記載のプロジェクタにおいて、前記制御部は、前記制御信号の上下，左右情報及び縦位置情報を状態フラグの値として記憶し、前記操作部材が操作されたときに記憶されている前記状態フラグの値に基づいて、前記画像表示部へ送信する前記状態フラグの値を書き換えることを特徴とする。
【発明の効果】
【００１２】
本発明によれば、表示画像を見やすくすることができる。
【図面の簡単な説明】
【００１３】
【図１】図１は本発明の一実施形態に係る投影装置を示すブロック図である。
【図２】図２は投影ユニットを示す概念図である。
【図３】図３は画像表示素子の向きとその表示との関係を示す図である。
【図４】図４は表示画像の縦表示と横表示とを説明する図である。
【図５】図５は本発明の一実施形態に係るプロジェクタの操作部材を示す平面図である。
【図６】図６はプロジェクタの画像表示素子の画像の表示方向を説明する図である。
【図７Ａ】図７Ａは比較例に係るプロジェクタの表示画像の回転を説明する図である。
【図７Ｂ】図７Ｂは図７Ａのプロジェクタの回転指示ボタンの押下回数と表示画像との関係を説明する図である。
【図８】図８は比較例に係るプロジェクタの動作を説明するフローチャートである。
【図９Ａ】図９Ａは本発明の一実施形態に係るプロジェクタの表示画像の回転を説明する図である。
【図９Ｂ】図９Ｂは回転指示ボタンの押下回数と表示画像との関係を説明する図である。
【図１０】図１０はプロジェクタの画像表示素子の画像の表示方向を説明する図である。
【図１１】図１１は本発明の一実施形態に係るプロジェクタの動作を説明するフローチャートである。
【発明を実施するための最良の形態】
【００１４】
以下、本発明の実施の形態を図面に基づいて説明する。
【００１５】
図１は本発明の一実施形態に係るプロジェクタ１のブロック図、図２はプロジェクタ１の投影ユニット２を示す概念図である。図２ではＬＥＤ光源２１ａ〜２１ｃを簡略化して記載した。
【００１６】
プロジェクタ１は主制御部であるＣＰＵ（制御部）１０を備えている。ＣＰＵ１０には、ＬＥＤ光源２１ａ〜２１ｃを有し、後述する画像表示素子２２を照明する照明部２１、照明部２１を駆動する電池１８、電源部１４のオン・オフを行うメインスイッチ（ＯＮ／ＯＦＦ）１２等の操作部材、ＬＥＤ光源２１ａ〜２１ｃの点灯及び消灯を行う投影用光源駆動回路１５、投影用光源駆動回路１５及び画像表示素子（画像表示部）２２を駆動する画像表示ドライバ１７、画像処理部１６、信号変換部１９が接続されている。
【００１７】
ＣＰＵ１０はメインスイッチ１２が押されたとき、電源起動信号１０ａを出力して電源部１４を起動させる。
【００１８】
信号変換部１９には外部インターフェース１９Ａ（外部Ｉ／Ｆ）が接続されている。外部インターフェース１９Ａは外部機器（図示せず）との間で画像データ、プロジェクタの制御データ等の送受信を行う。信号変換部１９はＣＰＵ１０からの制御信号１０ｅが入力されると、外部インターフェース１９Ａから入力された画像データ等のアナログビデオ信号をＡ／Ｄ変換し、デジタルの画像信号１９ｃを画像表示ドライバ１７へ出力する。また、信号変換部１９は画像表示素子２２の表示解像度に合わせるための画像の拡大・縮小やアスペクト比の変更等のスケーリングを行う。
【００１９】
画像処理部１６はメモリカード１９Ｂ、内蔵メモリ２０（メモリ）に接続されている。メモリカード１９Ｂ、内蔵メモリ２０には画像データ１９ｂ，２０ｂが予め記憶されている。メモリカード１９ＢはＣＦカード（登録商標）、ＳＤカード（登録商標）等の記憶メディアである。メモリカード１９Ｂと内蔵メモリ２０とで請求項１の記憶手段が構成される。
【００２０】
画像処理部１６は、例えば内蔵メモリ２０から画像データを読み出し、外部インターフェース１９Ａと同様に画像表示素子２２の表示解像度に合わせるための画像の拡大・縮小やアスペクト比の変更等のスケーリングを行う。
【００２１】
また、画像処理部１６は、ＣＰＵ１０からの制御信号１０ｅが入力されると、例えば内蔵メモリ２０からの画像データ等の画像信号１６ｂを画像表示ドライバ１７へ出力する。画像処理部１６は、内蔵メモリ２０からの画像データに基づいて、その表示画像を９０°回転させる（表示画像の縦横表示を切り替える）機能を備えている。
【００２２】
画像表示ドライバ１７は、ＣＰＵ１０からの制御信号１０ｅが入力されると、信号変換部１９から出力された画像信号１９ｃに応じて、画像表示素子２２を駆動するための画像信号１７ｃを出力する。
【００２３】
また、画像表示ドライバ１７は、ＣＰＵ１０からの制御信号１０ｅが入力されると、画像処理部１６から出力された画像信号１６ｂに応じて、画像表示素子２２を駆動するための画像信号１７ｃを出力する。
【００２４】
画像表示素子２２は例えば反射型ＬＣＯＳ（Ｌｉｑｕｉｄ  Ｃｒｙｓｔａｌ  Ｏｎ  Ｓｉｌｉｃｏｎ）である。ＬＣＯＳは、シリコン基板の上に液晶層を形成した反射型の液晶表示パネルである。
【００２５】
また、画像表示素子２２は、外部インターフェース１９Ａからの画像データ又は内蔵メモリ２０からの画像データに基づいて、その表示画像を１８０度回転させる機能を備えている。
【００２６】
投影用光源であるＬＥＤ光源２１ａ〜２１ｃは、赤（Ｒ）２１ａ、緑（Ｇ）２１ｂ、青（Ｂ）２１ｃの３色のＬＥＤで構成されている。ＬＥＤは高輝度の光を発光する高輝度ＬＥＤである。投影用光源駆動回路１５は、ＣＰＵ１０からＬＥＤ点灯信号１０ｂが入力されると、ＬＥＤ光源２１ａ〜２１ｃが点灯可能状態となる。画像表示ドライバ１７の点灯タイミング信号１７ｂに基づいて赤（Ｒ）２１ａ、緑（Ｇ）２１ｂ、青（Ｂ）２１ｃへの電力供給を制御し、赤（Ｒ）２１ａ、緑（Ｇ）２１ｂ、青（Ｂ）２１ｃの点灯及び消灯を行う。画像表示ドライバ１７からの投影用光源駆動回路１５への点灯タイミング信号１７ｂと画像表示素子２２への画像信号１７ｃは同期しており、赤の色成分の濃淡を画像表示素子２２が表示した場合に赤ＬＥＤ２１ａが点灯し、同様に緑の色成分の濃淡の場合は緑ＬＥＤ２１ｂ、青の色成分の濃淡の場合は青ＬＥＤ２１ｃが点灯する。これらのＬＥＤ光源２１ａ〜２１ｃの点灯・消灯と画像表示素子２２の切り替えは高速で行われ、設置面Ｇ等にフルカラーの光学像として認識される。
【００２７】
ＬＥＤ光源２１ａ〜２１ｃは、放電型光源ランプに比べて、電源を含めて小型化が可能である上、瞬時点灯・瞬時消灯が可能であること、輝度変更を短時間に繰り返しても光源としての負荷が小さく安定した発光が可能であること、長寿命であること等、プロジェクタの光源として多くの利点を有する。
【００２８】
画像表示ドライバ１７、投影用光源駆動回路１５、画像表示素子２２、ＬＥＤ光源２１ａ〜２１ｃ、ＰＢＳ（偏光ビームスプリッタ）ブロック２３及び投影レンズ２４で投影ユニット２が構成される（図２参照）。ＰＢＳブロック２３はＬＥＤ光源２１ａ〜２１ｃの入射軸に対して４５度の角度をなす偏光分離面を２つの三角プリズムで挟んだものである。
【００２９】
図２に基づいて投影ユニット２を説明する。
【００３０】
ＬＥＤ光源２１ａ〜２１ｃに投影用光源駆動回路１５から駆動電流が供給されると、ＬＥＤ光源２１ａ〜２１ｃの光がＰＢＳブロック２３に入射する。ＰＢＳブロック２３に入射した光束は、ＰＢＳブロック２３の偏光分離面でＳ偏光とＰ偏光に分離される。そのため、Ｓ偏光のみ偏光分離面で反射され、Ｐ偏光が偏光分離面を透過することにより、Ｓ偏光のみが画像表示素子２２を照明する。
【００３１】
画像表示素子２２に入射した光束は、液晶層を進み、反射面（図示せず）で反射された後、ＰＢＳブロック２３に再度入射する。ＰＢＳブロック２３に再度入射した光束は、液晶層を往復する過程でＳ偏光がＰ偏光に変化しているため、偏光分離面を透過し投影光として投影レンズ２４へ向かって進む。投影レンズ２４に入射した光束は投影レンズ２４を透過して設置面Ｇ等にフルカラーの光学像が拡大表示される。
【００３２】
図３は画像表示素子２２の向きとその表示との関係を示す図である。画像表示素子２２は組み込み上の制約により上下、左右が反転された状態でプロジェクタ筐体５０（図５参照）に組み込まれることがある。その場合に表示画像の向きを調節する目的で、図３（ａ），（ｂ），（ｃ），（ｄ）に示すように、制御信号ＵＤ及びＬＲをそれぞれ０又は１に設定することにより画像表示素子２２の表示の向きを自由に変更できる。
【００３３】
図３（ｂ）は図３（ａ）を仮想軸Ｘに対して反転したものであり、図３（ｄ）は図３（ｂ）を仮想軸Ｙに対して反転したものであり、図３（ｃ）は図３（ｄ）を仮想軸Ｘに対して反転したものであり、図３（ａ）は図３（ｃ）を仮想軸Ｙに対して反転したものである。
なお、画像表示素子２２に代えて画像表示ドライバ１７を駆動して予め上下左右の向きを変更した画像信号を画像表示素子２２に送ることもできる。
【００３４】
したがって、画像表示素子２２のプロジェクタ筐体５０への組み込み方にかかわらず、例えば制御信号をＵＤ＝０，ＬＲ＝０とすることにより図３（ａ）の表示とすることができる。
【００３５】
ところで、デジタルカメラには、撮影時に縦位置で撮影したという縦位置情報（ＶＨ＝１）を画像データに付加する機能を備えるものがある。
【００３６】
図４は表示画像の縦表示と横表示とを説明する図である。
【００３７】
縦位置情報を識別できる画像再生機器においては、画像再生機器で縦位置情報を検出すると特別な操作をしなくとも縦長に画像が表示される（図４（ａ）参照）。このとき、横長の表示エリアＰＡに表示される画像（表示画像）の両側に余白が生じる。
【００３８】
なお、縦位置情報が付加されていない画像データを再生する場合や縦位置情報を識別できない機器において画像を再生した場合には表示画像は横長になる（図４（ｂ）参照）。このとき、表示エリアＰＡの全部に画像が表示される。
【００３９】
図５は本発明の一実施形態に係るプロジェクタ１の操作部材を示す平面図、図６はプロジェクタ１の画像表示素子２２の画像の表示方向を説明する図である。
【００４０】
プロジェクタ１の上面には操作部材として、電源部１４のオン・オフを行うメインスイッチ（ＯＮ／ＯＦＦ）１２の他に、メニューモードへ移行するためのメニューボタン３０、メニューボタン等のカーソルを上下左右へ移動させるための移動ボタン３１ａ〜３１ｄ、カーソルで指示された位置の設定を有効にするための決定ボタン（ＯＫ）３２及び表示画像を回転させるための回転指示ボタン（Ｒｏｔ．）３３が配置されている。各ボタンは上述した表示画像の回転を操作者が指示するための入力部であって、ＣＰＵ１０を介して画像処理部１６及び画像表示素子２２に接続されている（図１参照）。
【００４１】
また、プロジェクタ１の正面には画像を机上等の設置面Ｇに表示させるための投影部３４が設けられている。
【００４２】
回転指示ボタン３３を操作することによって画像の表示方向を変更（表示画像を１８０度回転）させることができるので、観察位置がプロジェクタの正面側（図６（ａ）参照）であっても背面側（図６（ｂ）参照）であっても操作者は表示画像を本来見るべき観察方向から見ることができる。なお、従来のプロジェクタにおいても画像の表示方向を変更できるものもあるが、この実施形態のように１回の操作で画像の表示方向を変えることはできず、操作が面倒であった。
【００４３】
図９Ａは本発明の一実施形態に係るプロジェクタ１の表示画像の回転を説明する図、図９Ｂは回転指示ボタン３３の押下回数と表示画像との関係を説明する図、図１０はプロジェクタ１の画像表示素子２２の画像の表示方向を説明する図である。図９Ｂにおいて、ＶＨ＝１は表示画像が縦方向の画像であることを示し、ＶＨ＝０は表示画像が横方向の画像であることを示す。
【００４４】
前述したように、画像処理部１６は、ＣＰＵ１０からの制御信号１０ｅに基づいて画像データ１９ｂ又は画像データ２０ｂの表示画像の縦横表示を切り替えることができ、画像表示素子２２で、ＣＰＵ１０からの制御信号１０ｅに基づいて表示画像を１８０度回転させることができる。その結果、図９Ａに示すように表示画像を９０度毎に回転させることができる。図９Ａの（ａ），（ｃ）の場合、横長の表示エリアＰＡの中に縦方向の画像が表示されているため、表示画像の画像サイズが小さくなるが、回転指示ボタン３３を操作して表示画像を９０度回転させれば図９Ａの（ｂ），（ｄ）のように表示エリアＰＡの全部に画像が表示される。このとき、図１０に示すように、プロジェクタ１の向きを変えたり、観察者が移動したりすることにより表示エリアＰＡの全部に表示された画像を鑑賞することができる。表示エリアＰＡの全部に画像が表示されるため、表示画像の解像度も画像表示素子２２の総てを使うことで表示画像が精細となる。
【００４５】
図１１は本発明の一実施形態に係るプロジェクタ１の動作を説明するフローチャートである。図１１においてＳ２１〜Ｓ３０は各処理ステップを示す。
【００４６】
ＣＰＵ１０には画像表示素子２２へ送信する制御信号ＶＨ，ＵＤ，ＬＲの値が状態フラグ（１００〜０１１）として記憶されている。
【００４７】
ＣＰＵ１０は、回転指示ボタン３３が押されたときの状態フラグの値を確認することにより画像表示素子２２へ送信する制御信号ＶＨ，ＵＤ，ＬＲの値を決定する。
【００４８】
以下、フローチャートを用いてプロジェクタ１の動作を図５、９、１１に基づいて説明する。
【００４９】
回転指示ボタン３３が一度押されるごとにＣＰＵ１０は、状態フラグの判定を行い、回転指示ボタン３３が押された時の表示状態の判定を行う（Ｓ２１、Ｓ２５、Ｓ２７、Ｓ２９）。このとき、状態フラグが“１００”であれば、図９Ａ（ａ）の状態である。同様に状態フラグが“０００”であれば、表示状態は図９Ａ（ｂ）、状態フラグが“１１１”であれば、表示状態は図９Ａ（ｃ）、状態フラグが“０１１”であれば、表示状態は図９Ａ（ｄ）である。
【００５０】
回転指示ボタン３３を押下し（１回目）、Ｓ２１において状態フラグが“１００”であると判定した場合は（Ｙｅｓ）、現在の表示状態図９Ａ（ａ）を図９Ａ（ｂ）へ変更する。そのためにＣＰＵ１０は、制御信号ＶＨ，ＵＤ，ＬＲをそれぞれＶＨ＝０、ＵＤ＝０、ＬＲ＝０とし、状態フラグを“１００”から“０００”に変更する（Ｓ２２）。
【００５１】
次に、ＣＰＵ１０は、制御信号ＶＨの値（データ）を画像処理部１６へ転送する（Ｓ２３）。
【００５２】
その後、ＣＰＵ１０は、制御信号ＵＤ，ＬＲの値（データ）を画像表示素子２２へ転送する（Ｓ２４）。
【００５３】
その結果、表示画像は時計回りに９０度回転し、図９Ａ（ｂ）の状態になる。
【００５４】
図９Ａ（ｂ）の状態から回転指示ボタン３３がもう一度押される（２回目）と、Ｓ２１において状態フラグが“１００”でないので（Ｎｏ）、Ｓ２５に進む。
【００５５】
Ｓ２５において、状態フラグが“０００”であると判定した場合は（Ｙｅｓ）、表示状態を図９Ａ（ｂ）から図９Ａ（ｃ）へ変更するため、ＣＰＵ１０は、制御信号ＶＨ，ＵＤ，ＬＲをそれぞれＶＨ＝１、ＵＤ＝１、ＬＲ＝１とし、状態フラグを“０００”から“１１１”に変更する（Ｓ２６）。
【００５６】
次に、ＣＰＵ１０は、制御信号ＶＨの値（データ）を画像処理部１６へ転送する（Ｓ２３）。
【００５７】
その後、ＣＰＵ１０は、制御信号ＵＤ、ＬＲの値（データ）を画像表示素子２２へ転送する（Ｓ２４）。
【００５８】
その結果、表示画像は時計回りに９０度回転し、図９Ａ（ｃ）の状態になる。
【００５９】
図９Ａ（ｃ）の状態から回転指示ボタン３３がもう一度押される（３回目）と、ＣＰＵ１０は、Ｓ２１において、状態フラグは“１００”でないと判定し（Ｎｏ）、また、Ｓ２５においても、状態フラグは“０００”でもないと判定するため（Ｎｏ）、Ｓ２７へ進む。
【００６０】
Ｓ２７において、状態フラグが“１１１”であると判定した場合は（Ｙｅｓ）、表示状態を図９Ａ（ｃ）から図９Ａ（ｄ）へ変更するため、ＣＰＵ１０は、制御信号ＶＨ，ＵＤ，ＬＲをそれぞれＶＨ＝０、ＵＤ＝１、ＬＲ＝１とし、状態フラグを“１１１”から“０１１”に変更する（Ｓ２８）。
【００６１】
次に、ＣＰＵ１０は、制御信号ＶＨの値（データ）を画像処理部１６へ転送する（Ｓ２３）。
【００６２】
その後、ＣＰＵ１０は、制御信号ＵＤ、ＬＲの値（データ）を画像表示素子２２へ転送する（Ｓ２４）。
【００６３】
その結果、表示画像は時計回りに９０度回転し、図９Ａ（ｄ）の状態になる。
【００６４】
図９Ａ（ｄ）の状態から回転指示ボタン３３がもう一度押される（４回目）と、ＣＰＵ１０は、状態フラグは“１００”でも“０００”でも“１１１”でもないと判定するので（Ｓ２１、Ｓ２５、Ｓ２７においていずれもＮｏと判定）、Ｓ２９へ進む。
【００６５】
Ｓ２９において、状態フラグが“０１１”であると判定した場合は（Ｙｅｓ）、表示状態を図９Ａ（ｄ）から図９Ａ（ａ）へ変更するため、ＣＰＵ１０は、制御信号ＶＨ，ＵＤ，ＬＲをそれぞれＶＨ＝１、ＵＤ＝０、ＬＲ＝０とし、状態フラグを“０１１”から“１００”に変更する（Ｓ３０）。
【００６６】
次に、ＣＰＵ１０は、制御信号ＶＨの値（データ）を画像処理部１６へ転送する（Ｓ２３）。
【００６７】
その後、ＣＰＵ１０は、制御信号ＵＤ、ＬＲの値（データ）を画像表示素子２２へ転送する（Ｓ２４）。
【００６８】
その結果、表示画像は時計回りに９０度回転し、図９Ａ（ａ）の状態になる。
【００６９】
その後、回転指示ボタン３３が再度押されたとき、上記処理が繰り返される。
【００７０】
なお、外部インターフェース１９Ａからの画像データの場合、表示エリアＰＡに縦画像を表示させる縦位置情報は付加されていないので、画像表示素子２２又は画像表示ドライバ１７での１８０度回転だけとなる。また、メモリカード１９Ｂ、内蔵メモリ２０に記憶された画像データが動画データの場合も、縦位置情報を有していないので、外部インターフェース１９Ａから入力される画像データの場合と同様に画像表示素子２２又は画像表示ドライバ１７での１８０度回転だけとなる。
【００７１】
この実施形態によれば、画像処理部１６による表示画像の縦横変換と画像表示素子２２による表示画像の１８０度毎の回転表示とを組み合わせることによって、９０度毎に４通りに表示画像を回転させることが可能となり、操作者の好みに応じて表示画像を縦位置でも横位置でも投影することができ、表示画像を見やすくすることができる。
【００７２】
なお、この実施形態では画像表示素子２２として反射型ＬＣＯＳを用いたが、これに代えて透過型ＬＣＯＳ、ＤＭＤ（Ｄｉｇｉｔａｌ  Ｍｉｃｒｏｍｉｒｒｏｒ  Ｄｅｖｉｃｅ）を用いてもよい。また、メモリカード１９Ｂ、内蔵メモリ２０に記憶された画像データの縦位置情報を、回転指示ボタン３３を操作する毎、又は操作が完了して次の画像データの再生に移るときの画像データの切り替え時に書き換えて、その画像データが次に再生されたときに所望の表示方向で表示されるようにしてもよい。
【００７３】
更に、上記実施形態では、デジタルカメラで撮影された画像データを対象としたが、パーソナルコンピュータ等で作成された文書ファイルを対象とすることもできる。
【００７４】
また、上記実施形態では図３（ａ）と（ｄ）の表示状態、つまり、制御信号ＵＤ，ＬＲをそれぞれＵＤ＝１、ＬＲ＝１とＵＤ＝０、ＬＲ＝０との間で書き換えたが、例えば画像表示素子２２のプロジェクタ筐体５０への組み込み方向が上下逆である場合や光路の途中にミラーを配置した場合には、図３（ｂ）と（ｃ）の表示状態、つまり、制御信号ＵＤ，ＬＲをそれぞれＵＤ＝０、ＬＲ＝１とＵＤ＝１、ＬＲ＝０との間で書き換える場合もある。
【００７５】
また、外部インターフェース１９Ａからの画像データはアナログ信号に限られるものではなく、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）等のデジタルインターフェースを介して入力されたデジタル信号であってもよい。
【００７６】
次に、従来行われている表示画像の回転方法を比較例として説明する。
【００７７】
図７Ａは比較例に係るプロジェクタの表示画像の回転を説明する図、図７Ｂはそのプロジェクタの回転指示ボタンの押下回数と表示画像との関係を説明する図、図８は比較例に係るプロジェクタの動作を説明するフローチャートである。図８においてＳ１１〜Ｓ１５は各処理ステップを示す。
【００７８】
ＣＰＵは、回転指示ボタンが押されたときの状態フラグの値を確認することにより画像表示素子へ送信する制御信号ＵＤ、ＬＲの値を決定する。縦横の表示方向を示す制御信号ＶＨは表示画像の回転に関与しない。
【００７９】
以下、プロジェクタの動作を図８のフローチャートに基づいて説明する。
【００８０】
図７Ａ（ａ）の状態から回転指示ボタンが一度押される（１回目）と、ＣＰＵは、状態フラグが“００”であるか否かを判断する（Ｓ１１）。
【００８１】
ＣＰＵは、状態フラグが“００”であるとき（Ｙｅｓ）、制御信号ＵＤ、ＬＲをそれぞれＵＤ＝１、ＬＲ＝１とし、状態フラグを“００”から“１１”にする（Ｓ１２）。
【００８２】
次に、ＣＰＵは、制御信号ＵＤ、ＬＲの値（データ）を画像表示素子へ転送する（Ｓ１３）。
【００８３】
その結果、表示画像は１８０度回転し、図７Ａ（ｂ）の状態になる。
【００８４】
図７Ａ（ｂ）の状態から回転指示ボタンがもう一度押される（２回目）と、ＣＰＵは、状態フラグが“００”でないので（Ｎｏ）、状態フラグが“１１”であるか否かを判断する（Ｓ１４）。
【００８５】
ＣＰＵは、状態フラグが“１１”であるとき（Ｙｅｓ）、制御信号ＵＤ、ＬＲをそれぞれＵＤ＝０、ＬＲ＝０とし、状態フラグを“１１”から“００”にする（Ｓ１５）。
【００８６】
次に、ＣＰＵは、制御信号ＵＤ、ＬＲの値（データ）を画像表示素子へ転送する（Ｓ１３）。
【００８７】
その結果、表示画像は１８０度回転し、図７Ａ（ａ）の状態になる。
【００８８】
その後、回転指示ボタンが再度押された場合は、上記処理が繰り返される。
【００８９】
なお、上記説明は制御信号ＶＨ＝１（縦位置撮影）のときであったが、制御信号ＶＨ＝０（横位置撮影）のときであっても上記フローチャートにしたがって表示画像が１８０度回転する。
【００９０】
上記のように、制御信号ＵＤ、ＬＲの書き換えでは表示画像を１８０度回転させるだけであるので、２通りの表示画像しか得ることができず、縦位置で撮影した画像をプロジェクタでスクリーンに表示させる場合、横長の表示エリアに縦長の画像を表示することになり、表示エリアに表示される画像は小さく見づらいものとなる。
【符号の説明】
【００９１】
１：プロジェクタ、１０：ＣＰＵ（制御部）、１２：メインスイッチ、１６：画像処理部、１７：画像表示ドライバ、２２：画像表示素子（画像表示部）、３０：メニューボタン、３１ａ〜３１ｄ：移動ボタン、３２：決定ボタン、３３：回転指示ボタン。
【図１】
2012242487.tif 000003
【図２】
2012242487.tif 000004
【図３】
2012242487.tif 000005
【図４】
2012242487.tif 000006
【図５】
2012242487.tif 000007
【図６】
2012242487.tif 000008
【図７Ａ】
2012242487.tif 000009
【図７Ｂ】
2012242487.tif 000010
【図８】
2012242487.tif 000011
【図９Ａ】
2012242487.tif 000012
【図９Ｂ】
2012242487.tif 000013
【図１０】
2012242487.tif 000014
【図１１】
2012242487.tif 000015